(57)【要約】【課題】  発泡樹脂パネルに高度な放湿性を与えることによって，ロックウール等の断熱材に代えて外断熱パネルを使用して外断熱建造物を構成できるようにする。【解決手段】  発泡樹脂パネル１の室内面に径大の円形にして浅く掘り込み形成した多数の集湿スペース１１を配置するとともにこれらの集湿スペース１１に発泡樹脂パネル１の室外側に連通する単一又は複数の放湿孔１２を配置し，この室内面をコンクリート躯体２の壁面に面接するように設置してＲＣ構造の外断熱を行なう。集湿スペース１１が１次的にコンクリート躯体２の湿気を広範囲に集湿し，２次的に放湿孔１２によって発泡樹脂パネル１の室外側に放湿するようになって，外断熱パネル１を使用することが可能となる。放湿孔１２の径を５ｍｍ以下，好ましくは３ｍｍ以下とすることによって放湿孔１２の通気抵抗を大きくして放湿孔１２設置による断熱性能の低下を防止できる。【選択図】        図３
2006104745.tif 000002
【特許請求の範囲】
【請求項１】
外断熱層を形成するように建造物の躯体室外側に設置使用する発泡樹脂パネルであって，その室内面に掘り込み形成して多数配置した集湿スペースと，該集湿スペースと室外面に連通するように透設した各集湿スペース毎に単一乃至複数にして通気抵抗を可及的に大とした放湿孔とを備えてなることを特徴とする放湿性外断熱パネル。
【請求項２】
請求項１に記載の放湿性外断熱パネルを，その室内面をコンクリート躯体に直接又は透湿層を介して対面設置して外断熱構造としてなることを特徴とする外断熱建造物。
【請求項３】
請求項１に記載の放湿性外断熱パネルを，その室内面を構造躯体又はその室外側に設置した構造面体に直接又は透湿層を介して対面設置して外断熱構造としてなることを特徴とする外断熱建造物。
【発明の詳細な説明】
【技術分野】
【０００１】
本発明は放湿性外断熱パネル及びこれを用いた外断熱建造物に関する。
【背景技術】
【０００２】
この種外断熱パネルとして，例えばスチレン系，ウレタン系等にして多数の透孔を透設したものが知られており，この場合透湿層を介して構造面体に面接して設置することによって構造面体の湿気を放湿するように使用するものとされている。
【０００３】
【特許文献１】特開２００２−３２２７５０号公報
【発明の開示】
【発明が解決しようとする課題】
【０００４】
この場合透孔が放湿孔となり建造物の湿気を室外に放湿することができるが，放湿は透孔によって行うために，透孔位置における放湿は行われるが，透孔のない箇所では放湿をなし得ず，従って放湿機能を必ずしも有効に確保することができないものとなって，現実に採用し難くその実用性に欠けるという問題点が残されており，特に水分比率が高いＲＣ構造の建造物にあっては，断熱パネルを使用して外断熱構造の外壁が望まれながらも，その放湿性が確保されないことによって，現実には断熱性が相対的に低いために断熱パネルの２倍程度の厚さとしなければならないという問題点があるが，その放湿性が高いことから，一般にロックウールやグラスウールを用いて外断熱層を形成する傾向が強く，従って放湿機能を有効に確保しながら実用に適するようにした断熱パネルの出現が望まれている。
【０００５】
本発明はかかる事情に鑑みてなされたもので，その解決課題とするところは，可及的に簡易な構造にして高度にして有効な湿気放散をなし得るようにして実用性に富んだ放湿性外断熱パネルを提供するにあり，またこれを用いた外断熱建造物を提供するにある。
【課題を解決するための手段】
【０００６】
上記課題に沿って本発明は，発泡樹脂パネルを用いてその室内面に広い面積で躯体の湿気を集湿する集湿スペースを配置し，躯体の湿気を集湿スペースに集湿可能とし，該集湿スペースと室外面と連通するように該集湿スペースに配置し，通気抵抗を大とすることによって断熱性を阻害することなく，湿気を通過放散するようにした放湿孔から室外側に放湿するようにして，１次の集湿と２次の放湿による高度にして有効な放湿機能を発揮し得るようにしたものであって，即ち請求項１に記載の発明を，外断熱層を形成するように建造物の躯体室外側に設置使用する発泡樹脂パネルであって，その室内面に掘り込み形成して多数配置した集湿スペースと，該集湿スペースと室外面に連通するように透設した各集湿スペース毎に単一乃至複数にして通気抵抗を可及的に大とした放湿孔とを備えてなることを特徴とする放湿性外断熱パネルとしたものである。
【０００７】
請求項２及び請求項３に記載の発明は，該放湿性外断熱パネルを用いた外断熱建造物を提供するように，請求項２に記載の発明を，請求項１に記載の放湿性外断熱パネルを，その室内面をコンクリート躯体に直接又は透湿層を介して対面設置して外断熱構造としてなることを特徴とする外断熱建造物とし，請求項３に記載の発明を，請求項１に記載の放湿性外断熱パネルを，その室内面を構造躯体又はその室外側に設置した構造面体に直接又は透湿層を介して対面設置して外断熱構造としてなることを特徴とする外断熱建造物としたものである。
【発明の効果】
【０００８】
本発明は以上のとおりに構成したから，請求項１に記載の発明は，発泡樹脂パネルの室内面に集湿スペースを配置し，該集湿スペースと室外側を連通する放湿孔を配置するという可及的に簡易な構造にして，１次の集湿と２次の放湿によって高度にして有効な放湿機能を発揮することによって放湿を有効になし得るようにして実用性に富んだ放湿性外断熱パネルを提供することができる。
【０００９】
請求項２及び請求項３に記載の発明は，該放湿性外断熱パネルを用いることによって外断熱に有効な放湿性を有してロックウールやグラスウール等の繊維系の断熱材に比して１／２程度の厚さとし得る発泡樹脂パネルを使用することによって躯体からの出幅を可及的に薄く外壁を形成し得るようにした外断熱建造物を提供することができる。
【発明を実施するための最良の形態】
【００１０】
以下図面の例に従って本発明を更に具体的に説明すれば，１は外断熱パネルであり，該外断熱パネル１は，外断熱層を形成するように建造物の躯体２室外側に設置使用する発泡樹脂パネルであって，その室内面に掘り込み形成して多数配置した集湿スペース１１と，該集湿スペース１１と室外面に連通するように透設した各集湿スペース１１毎に単一乃至複数にして通気抵抗を可及的に大とした放湿孔１２とを備えた透湿性のものとしてある。
【００１１】
本例にあって外断熱パネル１は，例えばポリスチレン系，ポリウレタン系，フェノール系等の独立気泡を有する発泡樹脂パネルによるものとしてあり，例えばその厚さは，これ３乃至８ｃｍ程度の厚肉のものとしてある。
【００１２】
該外断熱パネル１は，その室内側に上記集湿スペース１１を備えており，該集湿スペース１１は外断熱パネル１の室内面を，その断熱性に影響しないように，例えば最大でも数ｍｍ程度の深さとするように浅く掘り込み形成することによって，室内側を開口する浅い凹陥空間をなすものとしてあり，本例にあって集湿スペース１１は，これを径大の円形にしてその掘り込み深さを同一として平坦な底面を備えたものとし且つ該底面の径を開口の径と同径とし，例えば１０ｃｍ程度の径を有する円形浅穴によるものとしてある。
【００１３】
また集湿スペース１１は，これを可及的高密度に配置することによって，その合計の開口面積比率，即ち外断熱パネル１面積に対する集湿スペース１１の開口面積の占有比率を可及的に大きくすることによって建造物の躯体２側の面積を可及的にカバーするようにしてその集湿性能を高度に確保し得るようにしてあり，本例の外断熱パネル１にあっては，集湿スペース１１間に残存形成される背面側突出のリブ面積が外断熱パネル１設置時の躯体２に対する加圧状の圧着に対して耐圧性を備えたものとしてあり，例えばその開口面積比率は，これを７０乃至８０％程度としてある。
【００１４】
集湿スペース１１は，その底面に外断熱パネル１を貫通することによって該室外側に連通する上記単一乃至複数の放湿孔１２を透設して具備してあり，本例にあって該放湿孔１２は，これを各集湿スペース１１の中央位置に単一に配置したものとしてある。放湿孔１２は，通気抵抗を可及的に大として，対流による空気流通を防止し湿気放散を自在とする放湿性を確保することによって可及的に熱欠損のないものとし，外断熱パネル１としてその断熱性に影響することなく該放湿性を確保するようにしてあり，このとき通気抵抗は放湿孔１２の径を５ｍｍ以下とすることによって可及的大とすることができるが，好ましくは３ｍｍ以下とすることによって空気の流通を略完全に阻止して熱損失を生じることなく，放湿孔１２設置による断熱性能の低下を解消して好ましい放湿性を呈するものとすることができる。本例にあって該放湿孔１２は，これを，例えば２〜３ｍｍ程度の径とすることによって空気流通とこれによる熱損失が全くなく湿気放散を行う放湿専用孔としてある。
【００１５】
集湿スペース１１及び放湿孔１２を備えて放湿性とした外断熱パネル１は，例えば集湿スペース１１形成用の円形突起と放湿孔１２形成用の針状突起を有する成形金型を用いて発泡成形して生産する方法，円形突起を有する成形金型を用いて集湿スペース１１を形成して発泡成形した後に，針状カッターを有する金型，ドリル等を用いて放湿孔１２を後加工して生産する方法，また発泡成形した外断熱パネルに回転カッターを用いて切削加工を施すことによって集湿スペース１１を形成した後に，同様に針状突起を有する金型，ドリル等を用いて放湿孔１２を後加工して生産する方法等が可能である。
【００１６】
このように形成した放湿性の外断熱パネル１は，その室内面をコンクリート躯体２に直接又は透湿層を介して対面設置して外断熱構造とすることによってＲＣ構造の外断熱建造物を構成することができ，またその室内面を構造躯体２又はその室外側に設置した構造面体に直接又は透湿層を介して対面設置して外断熱構造とすることによって木造，鉄骨等の軸組構造，枠組壁構造等の外断熱建造物を構成することができる。
【００１７】
図３は，例えばＲＣ構造の外断熱建造物における外壁の縦断面図であり，該外断熱建造物は，そのコンクリート躯体２の壁面室外側に直接に放湿性外断熱パネル１を面接するように対面設置して，該壁面を開口面積比率の高い集湿スペース１１により覆うことによって，各集湿スペース１１が，対面するコンクリート躯体２の壁面が放出する湿気を滞留させるように１次集湿し，その放湿孔１２が該集湿した湿気を外断熱パネル１の室外側に２次放出することによって，コンクリート躯体２の湿気を有効に放散することができるようにしてある。このとき，例えば外断熱パネル１に金属製薄型の胴縁５を介してタイル等の外装材７を設置することによって外断熱パネル１の室外側に形成した胴縁５厚さの通気空間６に対して湿気の放散を行なうことができる。
【００１８】
図４及び図５は，例えば木造軸組構造の外断熱建造物における外壁の縦断面図及び横断面図であり，該外断熱建造物は，その構造躯体２たる柱及び間柱の室外側に，該柱及び間柱間を覆うように配置した透湿防水紙による透湿層３を介して柱及び間柱に対して対面設置し，柱，間柱及びこれらの間を同様に開口面積比率の高い集湿スペース１１により覆うことによって，同様に各集湿スペース１１が，これら柱，間柱及びこれらの間に存在する湿気を１次集湿し，その放湿孔１２がこれを外断熱パネル１の室外側に２次放出することによってその湿気を有効に放散することができるようにしてある。このとき該放湿は，例えば外断熱パネル１の室外側に上記と同様に形成した通気空間６に対して同様にその湿気の放散を行なうことができる。
【００１９】
図４及び図５において４は，上記柱と間柱間に設置して，上記外断熱パネル１とともに２重の断熱層を形成して断熱性能を向上したロックウール乃至グラスウールの内断熱層であり，該内断熱層４が高い放湿性を発揮するも，外断熱パネル１を上記放湿性のものとしたことによって該内断熱層４に吸収された湿気を有効に同じく外断熱パネル１の室外側に放湿することができる。
【００２０】
図示した例は以上のとおりとしたが，集湿スペースを径大，径小の異径多数のものとすること，該集湿スペースを矩形，楕円等適宜の形状のものとし，また底面をテーパー面としたものとすること，放湿孔を各集湿スペースに複数配置すること，上記集湿スペースを異径のものとしたとき放湿孔の数を相互に異数とすること，外断熱パネルを構造躯体に直接に対面設置し，また枠組壁工法におけるが如くにスタッドに張設した構造面体に直接又は放湿層を介して対面設置して外断熱構造とすること，例えば外断熱層の室外側にモルタル等放湿性の高い外装材を配置して該外装材に対して放湿孔１２からの放湿を行なうようにすること等を含めて，本発明の実施に当って，外断熱パネル，その集湿スペース，放湿孔，これを設置する構造躯体，外断熱建造物等の各具体的形状，構造，材質，これらの関係，これらに対する付加等は，上記発明の要旨に反しない限り様々な形態のものとすることができる。
【図面の簡単な説明】
【００２１】
【図１】外断熱パネルの斜視図である。
【図２】外断熱パネルの断面図である。
【図３】ＲＣ建造物における外壁の縦断面図である。
【図４】軸組構造建造物における外壁の縦断面図である。
【図５】軸組構造建造物における外壁の横断面図である。
【符号の説明】
【００２２】
１  外断熱パネル
１１  集湿スペース
１２  放湿孔
２  躯体
６  通気空間
【図１】
2006104745.tif 000003
【図２】
2006104745.tif 000004
【図３】
2006104745.tif 000005
【図４】
2006104745.tif 000006
【図５】
2006104745.tif 000007